(57)【要約】【課題】電子機器を壁面等に取付けた際、ケースが変形してもシャーシーをスナップフィットにより確実に保持できる電子機器筐体を提供する。【解決手段】ケース本体１１の前端及び後端の中央にケース取付部１６ａ、１６ｂを設ける。ケース本体１１の前端壁の内側に複数の補強部材２３を設け、その下部に切込みを設けてシャーシー係止部を構成する。ケース本体１１内にシャーシー３１を取付ける際にシャーシー底板３２の前端を上記シャーシー係止部に位置させる。ケース本体１１の後端壁に近接してシャーシー３１を固定するためのスナップフィット３４、３５及び位置決め用ボス３６、３７を設ける。一方、シャーシー３１には、上記位置決め用ボス３６、３７に対応するように係合部３８、３９を後端方向に突出して設け、その中央の係合穴内に位置決め用ボス３６、３７の上部を挿入してシャーシー３１の位置を固定する。【選択図】図２
2007335593.tif 000002
【特許請求の範囲】
【請求項１】
合成樹脂製のケース本体と、前記ケース本体の外側に設けられるケース取付部と、前記ケース本体の開口部を覆うように回動可能に設けられるケースカバーと、前記ケース本体内に取付けられるシャーシーと、前記ケース本体内に設けられ、前記シャーシーの一方の端部を保持するシャーシー係止部と、前記ケース本体内に設けられ、前記シャーシーの他方の端部を着脱可能に保持するスナップフィットと、前記ケース本体内に前記スナップフィットに対応して設けられる位置決め用ボスと、前記シャーシーに設けられ、該シャーシーが前記スナップフィットにより保持される際に前記位置決め用ボスに係合されて取付け位置を規制する係合部とを具備することを特徴とする電子機器筐体。
【請求項２】
合成樹脂製のケース本体と、前記ケース本体の外側に設けられるケース取付部と、前記ケース本体の開口部に設けられるケースカバーと、前記ケース本体の両側後部に設けられ、前記ケースカバーを回動可能に保持するヒンジ部と、前記ケース本体の両側部に設けられ、前記ケースカバーを所定位置まで開いた際に前記ヒンジ部に当接して該ケースカバーの開度を規制する開放規制部材と、前記ケースカバーの後端壁外側に設けられ、前記ケースカバーを略最大開度まで開いた際に前記ケースカバーの後端壁側縁に前側から当接して前記ケースカバーの位置を保持するカバー保持部材とを具備し、前記カバー保持部材は、一定の力が付与される範囲内で前記ケースカバーを開いた状態に保持することを特徴とする電子機器筐体。
【請求項３】
請求項２に記載の電子機器筐体において、前記ケース本体内に取付けられるシャーシーと、前記シャーシーの上部を覆うように前記ケース本体に回動可能に設けられるセキュリティカバーと、前記ケースカバーの前端壁に設けられるセキュリティカバー係止用突部と、前記セキュリティカバー係止用突部に対応して前記ケースカバーに設けられ、前記ケースカバー及びセキュリティカバーを開いた状態において、前記セキュリティカバー係止用突部が挿入されて係止されるスリットとを具備することを特徴とする電子機器筐体。
【請求項４】
合成樹脂製のケース本体と、前記ケース本体の外側に設けられるケース取付部と、前記ケース本体の開口部を覆うように回動可能に設けられるケースカバーと、前記ケース本体の後端壁及び両側面の外周に沿って所定の間隔で設けられ、前記ケースカバーを閉じた際に該ケースカバーに当接して防水機能を持つ第１、第２、第３の防水壁と、前記ケースカバーの後端壁内側に設けられ、該ケースカバーを閉じた際に前記第１、第３の防水壁にそれぞれ当接して防水機能を持つ第４、第５の防水壁とを具備し、前記第１の防水壁は、前記ケース本体の両側面においてケースカバー側面の周縁に接する位置に設け、ケース本体の底面側に位置する面をテーパ状に形成したことを特徴とする電子機器筐体。
【発明の詳細な説明】
【技術分野】
【０００１】
本発明は、例えばＦＴＴｘ（Fiber To The x）用受信端末等の電子機器筐体に関する。
【背景技術】
【０００２】
近年、ケーブルテレビシステムにおいては、テレビに対するサービスだけでなくインターネットに対するサービスが行なわれるようになってきている。このため高速、大容量のデータ伝送が要求され、従来用いられていた同軸ケーブルに代わって各家庭へ光ファイバを引き込むＦＴＴＨ（Fiber To The Home）、あるいはマンション等の集合住宅やビルなどに設置されている主配線盤（ＭＤＦ：Main Distributing Frame）まで光ケーブルを引き込むＦＴＴＢ（Fiber To The Building）等のＦＴＴｘ（Fiber To The x）システムが普及している。このＦＴＴｘシステムに使用される光受信端末は（例えば、特許文献１参照。）加入者宅に設置される。
【特許文献１】特開平８−１８５１４号公報
【発明の開示】
【発明が解決しようとする課題】
【０００３】
上記ＦＴＴｘシステム等において使用される光受信端末等の電子機器は、合成樹脂製の部材を使用して機器筐体を構成しているが、その組立てを簡単にするためケース内に収納するシャーシーをケース内に設けたスナップフィットの弾性力を利用して固定している。そして、上記電子機器筐体は、ケースの外側に設けられている取付部を木ネジ等により住宅の外壁面等に取付けて使用される。
【０００４】
上記電子機器の筐体は合成樹脂により製作されているので、住宅の外壁面等に取付けた場合、壁面が平坦でないと壁面の状態に応じてケースが変形してしまう。従来の電子機器は、単にスナップフィットの弾性力を利用してシャーシーをケース内に固定しているだけであるので、壁面に取付けた際にケースが変形すると、シャーシーとスナップフィットの位置関係がずれてシャーシーからスナップフィットが外れてしまうという問題があった。
【０００５】
また、上記電子機器は、住宅の外壁面等に垂直に取付けられて使用されるので、メンテナンス作業等によりケースカバーを開いた場合、カバーを開いた状態に保持するカバー保持機構が要求される。
【０００６】
更に上記電子機器は、ケース内に実装した部品をユーザが誤って触れることがないようにケースカバーの内側にセキュリティカバーを設けた二重構造になっている。このため電子機器のメンテナンス作業等において、ケースカバー及びセキュリティカバーを開いた際、セキュリティカバーが作業の邪魔にならないようにセキュリティカバーの開放端をケースカバーにて固定するようにしている。この場合、従来では、ケースカバーに保持部品を設けてセキュリティカバーを保持しているので、セキュリティカバーを保持するための部品が必要であり、部品点数が増加するという問題があった。
【０００７】
また、上記電子機器は、住宅の外部壁面等に取付ける場合も考えられるので、防水構造が要求される。
【０００８】
本発明は上記の課題を解決するためになされたもので、電子機器を壁面等に取付けた場合、壁面が平坦でなくケースが変形するような場合であってもシャーシーとスナップフィットを所定の位置関係に保ち、シャーシーをスナップフィットにより確実に保持することができる電子機器筐体を提供することを目的とする。
【０００９】
また、本発明は、ケースカバーを開いた状態に保持するカバー保持機構を備えると共にケースカバー及びセキュリティカバーを開いた際、セキュリティカバーの開放端をケースカバーにて簡単に保持させることができる電子機器筐体を提供することを目的とする。
【課題を解決するための手段】
【００１０】
第１の発明に係る電子機器筐体は、合成樹脂製のケース本体と、前記ケース本体の外側に設けられるケース取付部と、前記ケース本体の開口部を覆うように回動可能に設けられるケースカバーと、前記ケース本体内に取付けられるシャーシーと、前記ケース本体内に設けられ、前記シャーシーの一方の端部を保持するシャーシー係止部と、前記ケース本体内に設けられ、前記シャーシーの他方の端部を着脱可能に保持するスナップフィットと、前記ケース本体内に前記スナップフィットに対応して設けられる位置決め用ボスと、前記シャーシーに設けられ、該シャーシーが前記スナップフィットにより保持される際に前記位置決め用ボスに係合されて取付け位置を規制する係合部とを具備することを特徴とする。
【００１１】
第２の発明に係る電子機器筐体は、合成樹脂製のケース本体と、前記ケース本体の外側に設けられるケース取付部と、前記ケース本体の開口部に設けられるケースカバーと、前記ケース本体の両側後部に設けられ、前記ケースカバーを回動可能に保持するヒンジ部と、前記ケース本体の両側部に設けられ、前記ケースカバーを所定位置まで開いた際に前記ヒンジ部に当接して該ケースカバーの開度を規制する開放規制部材と、前記ケースカバーの後端壁外側に設けられ、前記ケースカバーを略最大開度まで開いた際に前記ケースカバーの後端壁側縁に前側から当接して前記ケースカバーの位置を保持するカバー保持部材とを具備し、前記カバー保持部材は、一定の力が付与される範囲内で前記ケースカバーを開いた状態に保持することを特徴とする。
【００１２】
第３の発明は、前記第２の発明に係る電子機器筐体において、前記ケース本体内に取付けられるシャーシーと、前記シャーシーの上部を覆うように前記ケース本体に回動可能に設けられるセキュリティカバーと、前記ケースカバーの前端壁に設けられるセキュリティカバー係止用突部と、前記セキュリティカバー係止用突部に対応して前記ケースカバーに設けられ、前記ケースカバー及びセキュリティカバーを開いた状態において、前記セキュリティカバー係止用突部が挿入されて係止されるスリットとを具備することを特徴とする。
【００１３】
第４の発明に係る電子機器筐体は、合成樹脂製のケース本体と、前記ケース本体の外側に設けられるケース取付部と、前記ケース本体の開口部を覆うように回動可能に設けられるケースカバーと、前記ケース本体の後端壁及び両側面の外周に沿って所定の間隔で設けられ、前記ケースカバーを閉じた際に該ケースカバーに当接して防水機能を持つ第１、第２、第３の防水壁と、前記ケースカバーの後端壁内側に設けられ、該ケースカバーを閉じた際に前記第１、第３の防水壁にそれぞれ当接して防水機能を持つ第４、第５の防水壁とを具備し、前記第１の防水壁は、前記ケース本体の両側面においてケースカバー側面の周縁に接する位置に設け、ケース本体の底面側に位置する面をテーパ状に形成したことを特徴とする。
【発明の効果】
【００１４】
第１の発明によれば、ケース本体にスナップフィットと共に位置決め用ボスを設け、この位置決め用ボスをシャーシー側の係合部と係合させてシャーシーの位置を固定することにより、電子機器筐体を家屋の壁面等に取付けた際にケースが変形したとしても、シャーシーとスナップフィットとの位置ずれを防止し、シャーシーを所定位置に確実に保持することができる。
【００１５】
第２の発明によれば、ケース本体の両側後部にケースカバーの最大開度を規制する開放規制部材を設けると共に、ケース本体の後端壁にカバー保持部材を設けてケースカバーが自重で閉じないようにしているので、ケースカバーを開いた際に最適な状態に保持することができる。
【００１６】
第３の発明によれば、ケースカバーの前端壁に設けたカバー係止用突部をセキュリティカバーのスリット内に挿入して係止でき、部品を増やすことなく且つ簡単な構造で、セキュリティカバーを開いた際にケースカバーに確実に固定することができる。
【００１７】
第４の発明によれば、ケース本体の後端壁及び両側面の外周に沿って複数の防水壁を設けると共にケースカバーの後端壁内側にも防水壁を設けて複数段の防水構造とし、更に、ケース本体の両側面においてケースカバー側面の周縁に接する位置の防水壁に対し、ケース本体の底面側に位置する面をテーパ状に形成しているので、防水壁に加わる水圧を分散させて筐体内部への雨水等の侵入を確実に防止することができる。
【発明を実施するための最良の形態】
【００１８】
以下、図面を参照して本発明の一実施形態を説明する。  
図１ないし図６は本発明を光受信端末等の電子機器筐体に実施した場合の構成例を示している。  
図１は電子機器筐体のケース本体側の構成を示すもので、（ａ）は正面図、（ｂ）は左側面図、（ｃ）は同図（ａ）のＡ−Ａ線矢視断面図、（ｄ）は平面図である。  
図２はケース本体にシャーシーを取付けた状態を示す正面図である。  
図３はケース本体にケースカバー及びセキュリティカバーを取付けた状態を示すもので、（ａ）はケースカバー及びセキュリティカバーを開いた状態を示す斜視図、（ｂ）はケースカバーの要部を示す斜視図、（ｃ）はセキュリティカバーとケースカバーの結合部分を示す断面図である。  
図４はケースカバーを閉じた状態を示すもので、（ａ）は正面図、（ｂ）は左側面図、（ｃ）は要部を断面して示す右側面図である。  
図５（ａ）は図４（ａ）の要部を断面して示す平面図、図５（ｂ）は同図（ａ）のＡ部分を拡大して示す図である。  
図６はケース本体にケースカバーを取付けた状態を示すもので、（ａ）はケースを開いた状態を示す正面図、（ｂ）は同側面図、（ｃ）は同図（ａ）のＡ−Ａ線矢視断面図である。
【００１９】
図１〜図３において、１０は例えばＡＢＳ樹脂等の合成樹脂により形成した電子機器筐体で、ケース本体１１、ケースカバー１２及びセキュリティカバー１３により構成される。
【００２０】
上記ケースカバー１２は、ケース本体１１の上面開口部を覆うようにヒンジ部１４により回動可能に設けられる。ヒンジ部１４は、ケース本体１１の後部両側に設けられ、ケースカバー１２を回動可能に保持している。また、ケース本体１１内の両側には、後方上部位置に円柱状の突部１５ａ、１５ｂが設けられ、この突部１５ａ、１５ｂにセキュリティカバー１３の後部両側に設けられた穴が係合されて回動可能に設けられる。
【００２１】
上記ケース本体１１の前端及び後端には、底部側の中央にケース取付部１６ａ、１６ｂが突出して設けられ、その中心部には取付穴１７ａ、１７ｂが設けられる。電子機器筐体１０は、上記ケース取付部１６ａ、１６ｂを木ネジ等により例えば住宅の外壁面等に垂直に取付けられる。
【００２２】
以下、上記実施形態に係る電子機器筐体１０が備えた［シャーシー保持機構］、［ケースカバーのロック及び固定機構］、［セキュリティカバー支持機構］、［ケースカバー保持機構］、［防水機構］について説明する。
【００２３】
［シャーシー保持機構］
上記ケース本体１１には、図１に示すように底板上に突条２１が格子状に設けられると共に両側壁内面にも複数の突条２２が所定の間隔で設けられる。上記突条２１、２２によりケース本体１１の強度を向上させている。更に、ケース本体１１の前端壁及び後端壁の内側には、複数の補強部材２３、２４が設けられる。上記補強部材２３、２４は、上端側が狭く、下端側が広くなるようにテーパ状に形成される。そして、前端壁の補強部材２３には、図１（ｃ）、図６（ｃ）に示すように下部に切込みを設け、シャーシー係止部２５を構成している。
【００２４】
図２、図６に示すようにケース本体１１内にシャーシー３１を取付ける際にシャーシー底板３２の前端を上記シャーシー係止部２５に位置させる。
【００２５】
上記シャーシー３１は、図２及び図３に示すように所定の高さに形成され、その上面及び内部に電子部品が装着される。シャーシー３１は、上記シャーシー底板３２を備えており、その前端がケース本体１１の前端壁側に延在している。
【００２６】
そして、ケース本体１１内には、後端壁に近接して複数例えば２つのスナップフィット３４、３５をケース底板上に設けている。スナップフィット３４、３５は、シャーシー３１より高く形成され、シャーシー３１の上面に対応する位置に爪３４ａ、３５ａが設けられる。更に、ケース底板上には、スナップフィット３４、３５の側方に位置するように円柱状の位置決め用ボス３６、３７が設けられる。この円柱状の位置決め用ボス３６、３７は、その上端がスナップフィット３４、３５の爪３４ａ、３５ａ部分より少し高くなるように形成される。一方、シャーシー３１の上面には、上記位置決め用ボス３６、３７に対応するように係合部３８、３９が後端方向に突出して設けられ、その中央部に位置決め用ボス３６、３７に対する係合穴が形成される。また、ケース本体１１の底板上には、前端側に近接して複数例えば２つの係合突起４１ａ、４１ｂが設けられる。一方、シャーシー底板３２には、上記係合突起４１ａ、４１ｂに対応する位置に係合穴４２ａ、４２ｂが設けられる。
【００２７】
そして、ケース本体１１内にシャーシー３１を装着する際は、シャーシー前端壁の補強部材２３に形成したシャーシー係止部２５にシャーシー底板３２の前端を位置させ、その後、シャーシー３１の後端をスナップフィット３４、３５の弾性力に抗して押し下げ、シャーシー３１をスナップフィット３４、３５の爪３４ａ、３５ａに係止させる。このときシャーシー底板３２に設けた係合穴４２ａ、４２ｂ内にケース本体１１側の係合突起４１ａ、４１ｂが挿入されると共に、シャーシー３１に後端側に設けた係合部３８、３９の係合穴内に位置決め用ボス３６、３７が挿入されてシャーシー３１が所定の位置に固定される。
【００２８】
上記のようにスナップフィット３４、３５の側方に位置決め用ボス３６、３７を設け、シャーシー３１に設けた係合部３８、３９と係合させることにより、シャーシー３１の位置を確実に固定し、電子機器筐体１０を壁面に取付けた際にケース本体１１が変形したとしても、シャーシー３１とスナップフィット３４、３５との位置ずれを防止し、シャーシー３１をスナップフィット３４、３５により確実に保持できるように構成している。
【００２９】
［ケースカバーのロック及び固定機構］
また、図３に示すようにケース本体１１の前端壁の上部に弾力性を持たせたフック４１が設けられると共に、ケースカバー１２の前端側に上記フック４１に対応する位置に係止溝４３が設けられる。図４に示すようにケースカバー１２を閉じた際に係止溝４３内にフック４１が挿入され、フック４１の上端の爪によりケースカバー１２がロックされるようになっている。ケースカバー１２を閉じた状態では、フック４１の上端が係止溝４３より上部に突出しており、フック４１の上端をケースカバー１２の例えば前端方向（手前）に押すとロックが解除され、ケースカバー１２を上方に回動させて開くことができる。
【００３０】
更に、ケース本体１１には、前端壁に複数の接栓取付穴４４が設けられると共に、前端両側にカバー固定部４５ａ、４５ｂが形成される。このカバー固定部４５ａ、４５ｂには、その中心部にネジ形成穴４６ａ、４６ｂが設けられる。一方、ケースカバー１２の前端両側にも図３に示すように上記ケース本体１１のカバー固定部４５ａ、４５ｂに対応させてカバー固定部４７ａ、４７ｂが設けられ、その中心部に設けたネジ形成穴内にネジ４８ａ、４８ｂが螺着される。そして、ケースカバー１２を閉じた状態で、ケースカバー１２側に設けられているネジ４８ａ、４８ｂをケース本体１１側に設けられているカバー固定部４５ａ、４５ｂのネジ形成穴４６ａ、４６ｂに螺着することにより、ケース本体１１に対してケースカバー１２を固定することができる。セキュリティカバー固定部
［セキュリティカバー支持機構］
図３に示すようにシャーシー３１の上面には、所定の高さを有するセキュリティカバー固定部５１が設けられる。このセキュリティカバー固定部５１は、上部がシャーシー３１の上面と平行となるように直角に折り曲げられ、その折り曲げ部分にネジ穴５２が形成される。一方、セキュリティカバー１３には、上記セキュリティカバー固定部５１のネジ穴５２に対応する位置にネジ挿通穴５３が設けられる。セキュリティカバー１３を閉じた状態でネジ挿通穴５３に例えばイタズラ防止ネジを挿入し、特殊工具により締め付けてネジ穴５２に螺着すると、セキュリティカバー１３をシャーシー３１上に固定することができる。上記のようにイタズラ防止ネジを使用してセキュリティカバー１３を固定した場合には、特殊工具を用いないとイタズラ防止ネジを緩めることができないので、シャーシー３１部分を外部から触れられないように保護することができる。
【００３１】
上記セキュリティカバー１３は、図３に示すように例えばメンテナンス等により開いた場合に、ケースカバー１２により保持できるようになっている。すなわち、ケースカバー１２の前端壁には、左右両側近傍にセキュリティカバー係止用突部５５、５６を設けている。セキュリティカバー係止用突部５５は、中央に設けた溝の両側に２つのスナップフィット５７ａ、５７ｂを形成している。この場合、スナップフィット５７ａ、５７ｂは、先端に形成される爪をテーパ状とし、各爪がそれぞれ反対方向を向くように、例えばスナップフィット５７ａの爪がケースカバー１２の内側方向に向き、スナップフィット５７ｂの爪がケースカバー１２の外側方向に向くようにしている。また、セキュリティカバー係止用突部５６は、セキュリティカバー係止用突部５５と同様に中央に設けた溝の両側に２つのスナップフィット５８ａ、５８ｂを形成し、各スナップフィット５８ａ、５８ｂの先端に形成される爪がそれぞれ反対方向を向くようにしている。
【００３２】
一方、セキュリティカバー１３には、上記ケースカバー１２に設けたセキュリティカバー係止用突部５５、５６に対応する位置にスリット５９、６０が形成される。ケースカバー１２及びセキュリティカバー１３を開いた状態において、セキュリティカバー１３の前端をケースカバー１２に押し付けることにより、スリット５９、６０内にセキュリティカバー係止用突部５５、５６が挿入され、スナップフィット５７ａ、５７ｂ及びスナップフィット５８ａ、５８ｂによってセキュリティカバー１３がケースカバー１２に固定される。この場合、スナップフィット５７ａと５７ｂ、及びスナップフィット５８ａと５８ｂは、それぞれ爪が反対方向を向いているので、スリット５９、６０内に挿入された際にセキュリティカバー１３を確実に固定することができる。
【００３３】
また、上記スナップフィット５７ａ、５７ｂ及びスナップフィット５８ａ、５８ｂに形成される爪をテーパ状とし、セキュリティカバー１３に力を加えて引っ張ることでスリット５９、６０からセキュリティカバー係止用突部５５、５６が抜けでるようにしているので、セキュリティカバー１３をケースカバー１２から容易に外すことができる。
【００３４】
［ケースカバー保持機構］
また、上記電子機器筐体１０には、ケースカバー１２を開いた際、最適位置に保持するケースカバー保持機構が設けられる。
【００３５】
ケースカバー１２は、上記したようにヒンジ部１４により回動可能に保持される。このケースカバー１２には、図４に示すようにヒンジ部１４に略半円状の保持部材６１が設けられ、この保持部材６１の半円中心に設けた軸穴６２にヒンジ部１４の軸が嵌合して回動するようになっている。また、ケース本体１１の両側後部には、上記保持部材６１の下側に近接して開放規制部材６３が設けられる。この開放規制部材６３は、保持部材６１の下側側の形状に対応した形状を有しており、ケースカバー１２を所定の位置まで開いた際に保持部材６１の外側が開放規制部材６３に当接し、ケースカバー１２が開き過ぎないように規制する。
【００３６】
また、図１及び図５に示すように、ケース本体１１の後端壁の外側には、ケースカバー１２を開いた状態に保持するためのカバー保持部材６５ａ、６５ｂが所定の間隔で水平方向に設けられる。上記カバー保持部材６５ａ、６５ｂは、ケースカバー１２を開いたときに自重で閉じないように保持するためのもので、図６（ｃ）に示すようにケースカバー１２を開いた際、ケースカバー１２の後端壁の側縁がカバー保持部材６５ａ、６５ｂに当接する位置に設けられる。この場合、ケースカバー１２を開いた際、最大開度に達する直前でケースカバー１２の後端壁の側縁がカバー保持部材６５ａ、６５ｂに前縁に当接するが、更にケースカバー１２を開くとケースカバー１２の後端壁がカバー保持部材６５ａ、６５ｂを越えて反対側に到達する。このときケースカバー１２は最大開度まで開いた状態となる。この状態では、ケースカバー１２が自重で閉じようとしても、ケースカバー１２の後端壁がカバー保持部材６５ａ、６５ｂの後縁に当接し、ケースカバー１２を開いた状態に保持する。
【００３７】
そして、ケースカバー１２を閉じる場合は、閉じる方向に力を加えることにより、ケースカバー１２の後端壁がカバー保持部材６５ａ、６５ｂに圧接しながら前縁側に移動し、ケースカバー１２の後端壁とカバー保持部材６５ａ、６５ｂとの係合が外れるので、そのまま閉じることができる。
【００３８】
上記のようにケース本体１１の両側後部に、ケースカバー１２の最大開度を規制する開放規制部材６３を設けると共に、ケース本体１１の後端壁にカバー保持部材６５ａ、６５ｂを設けることにより、ケースカバー１２を開いた際に最適な状態に保持することができる。
【００３９】
［防水機構］
電子機器筐体１０には、ケース本体１１の外周面とケースカバー１２の内周面との間に、雨等から電子機器を保護する防水機構が設けられる。
【００４０】
図１、図３ないし図６に示すようにケース本体１１の外周面、すなわち、ケース本体１１の後端壁及び両側面の外周に沿って複数例えば第１ないし第３の防水壁７１、７２、７３が所定の間隔で設けられる。この場合、ケース本体１１の開口側に位置する防水壁７２、７３は、断面が矩形状で、外周面が同じ高さに設けられる。また、防水壁７１は、ケース本体１１の後端壁側では防水壁７２、７３と同じ形状であるが、両側面においては図５に示すように他の防水壁７２、７３より高く形成されると共に先端側が階段状に形成され、ケースカバー１２の両側壁の先端側と結合して高い防水作用を持つ構造となっている。このとき防水壁７１の先端位置とケースカバー１２の両側面外側が同一面となるように設定される。上記防水壁７１は、下側面、すなわち底板側の面７４がテーパ状に形成される。また、ケース本体１１の両側面は、防水壁７１より底板側に位置する側面７５がケースカバー１２の側面より低くなっている。
【００４１】
すなわち、ケース本体１１に対してケースカバー１２を閉じた場合、ケース本体１１の両側面においては、図５に示すようにケースカバー１２の側部周縁が防水壁７１に結合する共に、ケースカバー１２の側部内側面が防水壁７２、７３に当接して防水作用を持つように構成している。この場合、ケースカバー１２の側部周縁と防水壁７１との結合によって高い防水作用を有しているが、更に防水壁７１の内側に防水壁７２、７３を設けて防水作用を持たせているので、防水機能を更に向上することができる。
【００４２】
また、ケースカバー１２の側部外側面に対してケース本体１１の側面、すなわち防水壁７１より底板側に位置する側面７５を低く形成し、且つ防水壁７１にテーパ面７４を形成しているので、図５（ａ）に示すように防水壁７１の部分に雨等が激しく当たり、高い水圧７６が加わる場合であっても、その水圧７６を防水壁７１のテーパ面７４によってケース本体１１の側面７５側に逃がすことができ、防水壁７１とケースカバー１２の結合部に加わる水圧７６を弱めることができる。これにより防水作用を更に高めることができる。
【００４３】
また、ケースカバー１２には、図４、図６に示すように後端壁内側に２つの防水壁８１、８２が形成される。防水壁８１は、ケースカバー１２の後端壁の側縁を折曲げた状態に形成され、ケースカバー１２を閉じたときにケース本体１１の後端壁に位置する防水壁７１の下側に当接するように設けられる。また、防水壁８２は、ケースカバー１２を閉じたときにケース本体１１の後端壁に位置する防水壁７３の下側に当接するようにケースカバー１２の後端壁内側に設けられる。
【００４４】
すなわち、図４に示すようにケースカバー１２を閉じた場合、ケースカバー１２の後端壁内側がケース本体１１の後部防水壁７１、７２、７３の周縁に当接すると共に、ケースカバー１２の防水壁８１、８２とケース本体１１の防水壁７１、７３の側面が当接して防水作用を持つように構成している。このうようにケース本体１１の後端壁に設けた防水壁７１、７２、７３及びケースカバー１２の後端壁内側に設けた防水壁８１、８２によって複数段の防水構造を構成することにより、非常に高い防水作用を持たせることができる。
【００４５】
上記のように電子機器筐体１０の後部及び両側部に複数段の防水構造を構成しており、電子機器筐体１０を家屋の外壁等に垂直に取付けた場合において、筐体内部への雨水等の侵入を確実に防止することができる。
【００４６】
以上説明したように上記実施形態によれば、ケース本体１１に設けたスナップフィット３４、３５によりシャーシー３１を保持すると共に、スナップフィット３４、３５の側方に位置決め用ボス３６、３７を設け、シャーシー３１側の係合部３８、３９と係合させてシャーシー３１の位置を固定することにより、電子機器筐体１０を壁面に取付けた際にケース本体１１が変形したとしても、シャーシー３１とスナップフィット３４、３５との位置ずれを阻止し、シャーシー３１からスナップフィット３４、３５が外れるのを防止してシャーシー３１を所定位置に確実に保持することができる。
【００４７】
また、ケースカバー１２の前端壁にセキュリティカバー係止用突部５５、５６を設けると共に、セキュリティカバー１３の上記セキュリティカバー係止用突部５５、５６に対応する位置にスリット５９、６０を形成し、このスリット５９、６０内にセキュリティカバー係止用突部５５、５６を挿入して係止するようにしているので、部品を増やすことなく簡単な構造で、セキュリティカバー１３を開いた際にケースカバー１２に固定することができる。
【００４８】
また、ケース本体１１の両側後部に、ケースカバー１２の最大開度を規制する開放規制部材６３を設けると共に、ケース本体１１の後端壁にカバー保持部材６５ａ、６５ｂを設けてケースカバー１２が自重で閉じないようにしているので、ケースカバー１２を開いた際に最適な状態に保持することができる。
【００４９】
また、ケース本体１１の後端壁及び両側面の外周に沿って複数の防水壁７１、７２、７３を所定の間隔で設けると共に、ケースカバー１２の後端壁内側に上記防水壁７１、７３に対応するように防水壁８１、８２を設けて複数段の防水構造とし、かつ防水壁７１にテーパ面７４を設けて雨水等による水圧を分散するようにしているので、筐体内部への雨水等の侵入を確実に防止することができる。
【００５０】
なお、本発明は、上記実施形態そのままに限定されるものではなく、実施段階ではその要旨を逸脱しない範囲で構成要素を変形して具体化できるものである。
【図面の簡単な説明】
【００５１】
【図１】本発明の一実施形態に係る電子機器筐体のケース本体側の構成を示すもので、（ａ）は正面図、（ｂ）は左側面図、（ｃ）は同図（ａ）のＡ−Ａ線矢視断面図、（ｄ）は平面図である。
【図２】同実施形態において、ケース本体にシャーシーを取付けた状態を示す正面図である。
【図３】同実施形態において、ケース本体にケースカバー及びセキュリティカバーを取付けた状態を示すもので、（ａ）はケースカバー及びセキュリティカバーを開いた状態を示す斜視図、（ｂ）はケースカバーの要部を示す斜視図、（ｃ）はセキュリティカバーとケースカバーの結合部分を示す断面図である。
【図４】同実施形態において、ケースカバーを閉じた状態を示すもので、（ａ）は正面図、（ｂ）は左側面図、（ｃ）は要部を断面して示す右側面図である。
【図５】（ａ）は図４（ａ）の要部を断面して示す平面図、（ｂ）は要部断面を拡大して示す図である。
【図６】同実施形態において、ケース本体にケースカバーを取付けた状態を示すもので、（ａ）はケースを開いた状態を示す正面図、（ｂ）は同側面図、（ｃ）は同図（ａ）のＡ−Ａ線矢視断面図である。
【符号の説明】
【００５２】
１０…電子機器筐体、１１…ケース本体、１２…ケースカバー、１３…セキュリティカバー、１４…ヒンジ部、１５ａ、１５ｂ…突部、１６ａ、１６ｂ…ケース取付部、１７ａ、１７ｂ…取付穴、２１、２２…突条、２３、２４…補強部材、２５…シャーシー係止部、３１…シャーシー、３２…シャーシー底板、３４、３５…スナップフィット、３４ａ、３５ａ…爪、３６、３７…位置決め用ボス、３８、３９…係合部、４１ａ、４１ｂ…係合突起、４１…フック、４２ａ、４２ｂ…係合穴、４３…係止溝、４４…接栓取付穴、４５ａ、４５ｂ…カバー固定部、４６ａ、４６ｂ…ネジ形成穴、４７ａ、４７ｂ…カバー固定部、４８ａ、４８ｂ…ネジ、５１…セキュリティカバー固定部、５２…ネジ穴、５３…ネジ挿通穴、５５、５６…セキュリティカバー係止用突部、５７ａ、５７ｂ、５８ａ、５８ｂ…スナップフィット、５９、６０…スリット、６１…保持部材、６２…軸穴、６３…開放規制部材、６５ａ、６５ｂ…カバー保持部材、７１、７２、７３…防水壁、７４…防水壁７１のテーパ面、７５…ケース本体１１の側面、７６…水圧、８１、８２…防水壁
【図１】
2007335593.tif 000003
【図２】
2007335593.tif 000004
【図３】
2007335593.tif 000005
【図４】
2007335593.tif 000006
【図５】
2007335593.tif 000007
【図６】
2007335593.tif 000008